(57)【特許請求の範囲】
【請求項１】
被介護者の臀部及び大腿部が接する座面シートと、被介護者の背部が接する背凭れ面シートとを備える介護用車椅子であって、
前記座面シートの後端と略水平状態における前記背凭れ面シートの前端とが蝶番を介して連結され、
前記座面シートは、前記座面シートの下方に配設したリフト手段により上下方向に昇降でき、
前記背凭れ面シートの周縁に配設した背凭れフレームの左右の下端を回転中心軸として前記背凭れフレームを傾動動作させる傾動手段により、前記背凭れフレームを略垂直姿勢から後方に回動して略水平姿勢までの任意の姿勢をさせることができ、
前記背凭れ面シートの背面側で前記背凭れフレームの上端側から下端側に向けて突設させた、細長状の溝を設けた支持板部材と、前記溝に挿入され前記背凭れ面シートと前記支持板部材とを締結する締結具によって、前記背凭れ面シートと前記背凭れフレームとの左右方向の位置ずれ規制及び上下方向の位置関係調整を可能とし、調整された位置関係で前記背凭れ面シートと前記背凭れフレームとの位置関係を固定可能とし、
前記背凭れフレームは、上方の部位である略コ字状フレームの左右の一部を下方の部位であるパイプ状の左右フレーム内に挿入して前記略コ字状フレームをスライドさせることで、前記背凭れフレームの上下方向の長さを調整可能とし、
前記座面シート及び前記背凭れ面シートの表皮が摩擦抵抗の少ない滑りやすい材質である硬質塩化ビニール低発泡材、ナイロン、ポリエステル織布、ポリプロピレン織布、熱可塑性エラストマー樹脂、ポリオレフィン樹脂、又は防炎シートからなることを特徴とする介護用車椅子。
【請求項２】
前記座面シートと前記リフト手段との間に配設され、上下方向のガイド部と座面シートの底面に下方から当接する座面当接部とを備え、前記座面当接部から後方に延出され前記背凭れ面シートの背面に当接可能な長さを有する板状又は棒状の背凭れ面補強部材を設けた座面昇降ガイド部材を備えたことを特徴とする請求項１に記載の介護用車椅子。
【請求項３】
少なくとも裏面を覆う表皮が摩擦抵抗の少ない滑りやすい材質である硬質塩化ビニール低発泡材、ナイロン、ポリエステル織布、ポリプロピレン織布、熱可塑性エラストマー樹脂、ポリオレフィン樹脂、又は防炎シートからなり、
前記座面シートの上面に載置されて被介護者の座布団として使用することができ、かつ、前記座面シートの上面と傾斜させた前記背凭れ面シートの上面を、被介護者を乗せた状態で滑動することのできる滑動座布団を備えることを特徴とする請求項１又は２に記載の介護用車椅子。
【発明の詳細な説明】
【技術分野】
【０００１】
本発明は、介護用車椅子に関し、さらには、老人、身体障害者、病人などの自力では車椅子と自動車の座席やベッド等の移動先との間における移動が困難な被介護者に対する、介護者による自動車の座席と車椅子との間の移し替え作業を容易にする介護用車椅子に関する。
【背景技術】
【０００２】
従来から、自力で歩行することが困難な人が使用する介護用車椅子が多く使用されている。
【０００３】
また、最近では、自力で歩行することが困難な人を、ベッドと介護用車椅子との間や自動車の座席と介護用車椅子との間を移動させる機能を備えた介護用車椅子が、例えば、本願発明者によって創案されている（特許文献１参照）。特許文献１には、車体フレームの前部両側に設けられる左右一対の前輪と前記車体フレームの後部両側に設けられる左右一対の後輪とを有する走行車体と、床面に対して略水平に配設される座席部と、その座席部の後方に設けられ、前記座席部に対して略直角に立ち上がる位置から略同一平面をなす位置まで傾動可能に連結される背もたれ部と、前記座席部上に配置されるスライドシートとを有し、前記スライドシートは、前記背もたれ部を前記座席部と略同一平面をなす位置まで傾動させてストレッチャー状とした状態で、前記座席部上の位置から前記背もたれ部上の位置まで前記走行車体の前後方向にスライド可能となっている介助用車椅子が開示されている。
【先行技術文献】
【特許文献】
【０００４】
【特許文献１】特開２０１３−５９９９号公報
【発明の概要】
【発明が解決しようとする課題】
【０００５】
特許文献１に記載の介護用車椅子は、前後方向に移動可能なスライドシートを設けることによって、自力で歩行することが困難な人を自動車の座席に移動させることができるという優れた効果を発揮する。
【０００６】
しかし、特許文献１に記載の介護用車椅子にはさらなる改善の余地がある。例えば、前記スライドシートはその下端から突設した突部を、支持金具に形成した貫通孔に挿通させた状態でスライドさせるので、スライドシートに乗っている自力で歩行することが困難な人の姿勢によっては、スライドシートが傾いて突部と貫通孔とが干渉し合って円滑にスライドさせることができない場合が生じ得る。
【０００７】
また、前記介護用車椅子は、その側端部または後端部を自動車の座席に隣接させた状態で、自力で歩行することが困難な人を移動させるので、自動車シートの高さとスライドシートの高さとの段差が発生したときは、自力で歩行することが困難な人を持ち上げるようにして移す必要がある。従って、多大な労力を必要とする。
【０００８】
さらに、スライドシートを移動させるために支持金具やボールなどを必要とするので、全体の構成がやや複雑となってしまう。
【０００９】
本発明はこうした問題に鑑み創案されたもので、自力で歩行することが困難な人を自動車のシート
等の移動先に、より円滑かつ容易に移動させることができる共に、構成が簡易な介護用の車椅子を提供することを課題とする。
【課題を解決するための手段】
【００１０】
本発明において、上下方向とは介護用車椅子１の背凭れ面シート３を垂直方向にした状態に置き換えたときの上下方向を意味し、前後方向とは介護用車椅子１の背凭れ面シート３を垂直方向にした状態に置き換えたときの前後方向を意味する。
【００１１】
請求項１に記載の介護用車椅子１は、被介護者の臀部及び大腿部が接する座面シート２と、被介護者の背部が接する背凭れ面シート３とを備える介護用車椅子１であって、前記座面シート２の後端と略水平状態の前記背凭れ面シート３の前端とが蝶番４を介して連結され、前記座面シート２は、前記座面シート２の下方に配設したリフト手段５により上下方向に昇降でき、前記背凭れ面シート３の周縁に配設した背凭れフレーム６の左右の下端を回転中心軸５２として前記背凭れフレーム６を傾動動作させる傾動手段５１により、前記背凭れフレーム６を略垂直姿勢から後方に回動して略水平姿勢までの任意の姿勢をさせることができ、前記背凭れ面シート３の背面側で前記背凭れフレーム６の上端側から下端側に向けて突設させた、細長状の溝３１を設けた支持板部材３０と、前記溝３１に挿入され前記背凭れ面シート３と前記支持板部材３０とを締結する締結具３２によって、前記背凭れ面シート３と前記背凭れフレーム６との左右方向の位置ずれ規制及び上下方向の位置関係調整を可能とし、調整された位置関係で前記背凭れ面シート３と前記背凭れフレーム６との位置関係を固定可能とし、前記背凭れフレーム６は、上方の部位である略コ字状フレーム８の左右の一部を下方の部位であるパイプ状の左右フレーム２１内に挿入して前記略コ字状フレーム８をスライドさせることで、前記背凭れフレーム６の上下方向の長さを調整可能とし、前記座面シート２及び前記背凭れ面シート３の表皮２５が摩擦抵抗の少ない滑りやすい材質である硬質塩化ビニール低発泡材、ナイロン、ポリエステル織布、ポリプロピレン織布、熱可塑性エラストマー樹脂、ポリオレフィン樹脂、又は防炎シートからなることを特徴とする。
【００１２】
請求項２に記載の介護用車椅子１は、請求項１において、前記座面シート２と前記リフト手段５との間に配設され、上下方向のガイド棒１１と座面シート２の底面に下方から当接する座面当接部１２とを備え、前記座面当接部１２から後方に延出され前記背凭れ面シート３の背面に当接可能な長さを有する板状又は棒状の背凭れ面補強部材１３を設けた座面昇降ガイド部材９を備えたことを特徴とする。
【００１３】
請求項３に記載の介護用車椅子１は、請求項１又は２において、少なくとも裏面を覆う表皮７３が摩擦抵抗の少ない滑りやすい材質である硬質塩化ビニール低発泡材、ナイロン、ポリエステル織布、ポリプロピレン織布、熱可塑性エラストマー樹脂、ポリオレフィン樹脂、又は防炎シートからなり、前記座面シート２の上面に載置されて被介護者の座布団として使用することができ、かつ、前記座面シート２の上面と傾斜させた前記背凭れ面シート３の上面を、被介護者を乗せた状態で滑動することのできる滑動座布団１０を備えることを特徴とする。
【発明の効果】
【００１４】
請求項１に記載の介護用車椅子１は、高さの異なる自動車シート９０の上面の高さに応じて、座面シート２の高さを調整でき、背凭れ面シート３の傾斜角を調整することができる。例えば、被介護者を介護用車椅子１の座面シート２上から自動車シート９０上に乗り移りさせる場合には、座面シート２の高さを自動車シート９０の上面より高くし、背凭れ面シート３の自動車シート９０側を低くするように傾斜させるので、介護者が軽い力で被介護者を乗り移りさせることができ、一方、被介護者を自動車シート９０上から座面シート２上に乗り移りさせる場合には、座面シート２の高さを自動車シート９０の上面より低くし、背凭れ面シート３の座面シート２側を低くするように傾斜させるので、介護者が軽い力で被介護者を乗り移りさせることができる。
【００１５】
また、背凭れフレーム６の略コ字状フレーム８部分を伸長方向にスライドさせて、略コ字状フレーム８を自動車シート９０上に奥深くしっかりと載置することができるので、背凭れ面シート３上と自動車シート９０上との間を、被介護者を抱きかかえることなく容易に軽い力で乗り移りさせることができる。
【００１６】
座面シート２及び背凭れ面シート３の表皮２５を摩擦抵抗の少ない滑りやすい材質で造るので、座面シート２上及び背凭れ面シート３上を、座布団に座った被介護者を、又は座布団上に仰臥状態の被介護者を、介護者が座布団を引っ張って容易に軽い力で移動させることができる。
【００１７】
被介護者を移送させるためのスライド機構が不要であるため、介護用車椅子１の構成を簡易にすることができる。
【００１８】
また、背凭れフレーム６の上端にある略コ字状フレーム８を上下方向でスライドできるので、被介護者を自動車シート９０などに移送するときは背凭れフレーム６を長くして背凭れフレームの上端側を自動車シート９０上の載置することが容易にでき、介護用車椅子１を介護者が押して移動させるときには背凭れフレーム６の上端にある略コ字状フレーム８を上下方向でスライドさせて短縮させて背凭れフレーム６の上端を高さ方向で低くできるので、介護者の前方の視界を妨げることがなく前方が見えやすいという効果を奏する。
【００１９】
請求項２に記載の介護用車椅子１は、請求項１に記載の発明と同じ効果を奏するとともに、座面シート２と背凭れ面シート３との連結部位に対して下方からの支持を補強することができ、座面シート２と背凭れ面シート３との連結手段である蝶番４の破損防止のための安全度が高まるという効果を奏する。
【００２０】
請求項３に記載の介護用車椅子１は、請求項１又は２に記載の発明と同じ効果を奏するとともに、被介護者が座った状態又は被介護者が仰臥している状態で使用している、摩擦抵抗の少ない滑りやすい材質から造られた表皮７３からなる裏面を有する滑動座布団１０を、同じように摩擦抵抗の少ない滑りやすい材質で造られた表皮２５からなる上面を有する座面シート２上及び背凭れ面シート３上を、介護者が滑動座布団１０を引張って滑らすので、極めて軽く容易に被介護者を移動させることができ、介護用車椅子１の座面シート２上から自動車シート９０上に介護者が被介護者を容易に、かつ極めて軽い力で乗り移りをさせることができ、また、自動車シート９０上から介護用車椅子１の座面シート２上まで介護者が被介護者を容易に、かつ極めて軽い力で乗り移りをさせることができる。
【図面の簡単な説明】
【００２１】
【図１】本発明に係る介護用車椅子の実施形態を示す概要側面図である。
【図２】図１に示す介護用車椅子の概要正面図である。
【図３】座面シート及び背凭れ面シートを除いた介護用車椅子の実施形態を示す概要側面図である。
【図４】図３に示す介護用車椅子の概要正面図である。
【図５】背凭れフレームを水平状態に傾斜させたときの概要側面図である。
【図６】座面下をリフト手段のみとし、背凭れフレームを水平状態に傾斜させ、背凭れフレームの略コ字状フレームを伸長方向にスライドさせたときの概要側面図である。
【図７】座面シートを除いたときの座面シート下方の概要平面図である。
【図８】座面シートと背凭れ面シートとを連結させた蝶番の説明図で、（ａ）は背凭れ面シートが略水平姿勢を形成したときの底面図であり、（ｂ）は背凭れ面シートが略水平姿勢を形成したときの側面図であり、（ｃ）は背凭れ面シートが略垂直姿勢を形成したときの側面図である。
【図９】蝶番を除いた座面シートの側面図である。
【図１０】略コ字状フレームの説明図で、（ａ）は背凭れフレームが垂直姿勢のときの略コ字状フレームの正面視での概要正面図で、（ｂ）は略コ字状フレームに突設した支持板部材や背凭れ面シートの関係を示す前後方向の断面図である。
【図１１】座面昇降ガイド部材の鳥瞰図である。
【図１２】リフト手段の説明図で、（ａ）は正面視でのリフト手段とそのガイド機構の説明図で、（ｂ）は側面視でのリフト手段とその操作ハンドル等の説明図である。
【図１３】滑動座布団の説明図で、（ａ）は平面図、（ｂ）は側面図である。
【図１４】座面シート上面を自動車シート上面より高くし、滑動座布団が座面シート上に位置するときの介護用車椅子の概要側面図である。
【図１５】座面シート上面を自動車シート上面より高くし、滑動座布団が背凭れ面シート上から自動車シート上に移動させるときの介護用車椅子の概要側面図である。
【図１６】座面シート上面を自動車シート上面より低くし、滑動座布団が自動車シート上から背凭れ面シート上に移動するときの介護用車椅子の概要側面図である。
【図１７】座面シート上面を自動車シート上面より低くし、滑動座布団が座面シート上に移動し終わったときの介護用車椅子の概要側面図である。
【発明を実施するための形態】
【００２２】
本発明に係る介護用車椅子１の実施形態を、図１乃至図４、及び、図１４乃至図１７に示す。これは、自力で歩行することが困難な人（以下、被介護者と記す）が使用する介護用の車椅子である。
【００２３】
本発明に係る介護用車椅子１は、被介護者の臀部及び大腿部が接する座面シート２と、被介護者の背部が接する背凭れ面シート３とを備える介護用車椅子１であって、前記座面シート２の後端と前記背凭れ面シート３の前端とが蝶番４を介して連結され、前記座面シート２は、前記座面シート２の下方に配設したリフト手段５により上下方向に昇降でき、前記背凭れ面シート３の周縁に配設した背凭れフレーム６の左右の下端を回転中心軸５２として前記背凭れフレーム６を傾動動作させる傾動手段５１により、前記背凭れフレーム６を略垂直姿勢から略水平姿勢までの任意の姿勢をさせることができ、前記背凭れ面シート３の背面側で前記背凭れフレーム６の上端側から下端側に向けて突設させた、細長状の溝３１を設けた支持板部材３０と、前記溝３１に挿入され前記背凭れ面シート３と前記支持板部材３０とを締結する締結具３２によって、前記背凭れ面シート３と前記背凭れフレーム６との左右方向の位置ずれ規制及び上下方向の位置関係調整を可能とし、調整された位置関係で前記背凭れ面シート３と前記背凭れフレーム６との位置関係を固定可能とし、前記背凭れフレーム６は、上方の部位である略コ字状フレーム８の左右の一部を下方の部位であるパイプ状の左右フレーム２１内に挿入して前記略コ字状フレーム８をスライドさせることで、前記背凭れフレーム６の上下方向の長さを調整可能とし、前記座面シート２及び前記背凭れ面シート３の表皮２５が摩擦抵抗の少ない滑りやすい材質からなる介護用車椅子１である。
【００２４】
そして、座面シート２とリフト手段５との間に配設され、上下方向のガイド棒１１と座面シート２の底面に下方から当接する座面当接部１２とを備え、前記座面当接部１２から後方に延出され前記背凭れ面シート３の背面に当接可能な長さを有する板状又は棒状の背凭れ面補強部材１３を設けた座面昇降ガイド部材９を備えている。
【００２５】
また、少なくとも裏面を覆う表皮７３が摩擦抵抗の少ない滑りやすい材質からなり、座面シート２の上面に載置されて被介護者の座布団として使用することができ、かつ、前記座面シート２の上面と傾斜させた前記背凭れ面シート３の上面を、被介護者を乗せた状態で容易に滑動することのできる滑動座布団１０を備える。
【００２６】
次に、介護用車椅子１の構成要素について説明する。
【００２７】
座面シート２は、図９に示すように、通常時に座位状態の被介護者の臀部及び大腿部が接する部位であり、座面シート２の少なくとも上面を覆う表皮２５は、硬質塩化ビニール低発泡材、ナイロン、ポリエステル織布、ポリプロピレン織布、熱可塑性エラストマー樹脂、ポリオレフィン樹脂、防炎シートなどの摩擦抵抗の少ない滑りやすい材質からなり、座面シート２の底面はベニヤ板、プラスチック板、木製板、非鉄金属板、鉄製板等の剛性を有する材料からなる。そして、平面視で略四角形上の座面シート２の底面の角近傍には垂直方向で下方に向けて細長状のガイド棒２６が４本突設されている。
【００２８】
座面シート２は、図１１に示す座面昇降ガイド部材９の上に載置されている。
【００２９】
背凭れ面シート３は、通常時に座位状態の被介護者の背部が接する部位であり、背凭れ面シート３の少なくとも上面を覆う表皮２５は、硬質塩化ビニール低発泡材、ナイロン、ポリエステル織布、ポリプロピレン織布、熱可塑性エラストマー樹脂、ポリオレフィン樹脂、防炎シートなどの摩擦抵抗の少ない滑りやすい材質からなり、背凭れ面シート３の底面はベニヤ板、プラスチック板、木製板、非鉄金属板、鉄製板等の剛性を有する材料からなる。
【００３０】
図８に示すように、背凭れ面シート３の下端部が座面シート２の後端部に、蝶番４を介して少なくとも略垂直姿勢と略水平姿勢との間を自在に回動するように連結される。この連結は、蝶番４の働きによって、背凭れ面シート３が垂直姿勢になっても座面シート２と干渉しないように、座面シート２の後端部と背凭れ面シート３の前端部の間に隙間Ｇが形成される。
【００３１】
座面シート２と背凭れ面シート３を連結する蝶番４は、前板部４１と回転軸部４２と後板部４３で構成される蝶番本体部４５と、前記蝶番本体部４５の後板部４３の後端部に固定される補助板４４とで構成している。本実施形態では、蝶番本体部４５を座面シート２にビス（図示なし）で固定し、補助板４４部を背凭れ面シート３に同じくビス（図示なし）で固定している。そして、前記座面シート２と前記背凭れ面シート３との間に隙間Ｇを形成している。隙間Ｇを形成させることにより、背凭れ面シート３が垂直方向に立設状態になったときに、図８（ｃ）に示すように座面シート２の後端と背凭れ面シート３の前端とが干渉しない。
【００３２】
また、背凭れフレーム６は、上方の部位である、図１０（ａ）に示すような略コ字状フレーム８の左右の一部を下方の部位であるパイプ状の左右フレーム２１内に挿入して前記略コ字状フレーム８をスライドさせることで、前記背凭れフレーム６の上下方向の長さを図６に示すように長くしたり、図５に示すように短くすることができ、背凭れフレーム６の長さを調整可能としている。この略コ字状フレーム８は、例えば、伸張した状態で左右フレーム２１と略コ字状フレーム８を螺子３５などで螺設して固定し、伸長状態の略コ字状フレーム８の上部を、ベッドや自動車シート９０などの移動先に載置する。なお、背凭れフレーム６には当該介護用車椅子１を押すための手押ハンドル３６が設けられている。
【００３３】
そして、図１０（ａ）に示すように略コ字状フレーム８の左右方向の中央部には、上下方向の細長状の貫通溝３１を設けた平板状の支持板部材３０が突設されており、図１０（ｂ）に示すように、背凭れ面シート３裏面に埋設されたナット３３に支持板部材３０の貫通溝３１に挿入させたボルト等の締結具３２によって、背凭れ面シート３と支持板部材３０とを締結している。前記ボルト等の外径と貫通溝３１の横幅をほぼ同一とすることによって左右方向を規制でき、細長状の貫通溝３１内をスライドさせることによって上下方向で移動できるので、締結具３２を緩めることによって前記背凭れ面シート３と前記背凭れフレーム６との左右方向の位置ずれ規制及び上下方向の位置関係調整ができ、締結具３２を締めることによって調整された位置関係で前記背凭れ面シート３と前記背凭れフレーム６との位置関係を固定化することができる。
【００３４】
座面シート２をリフト手段５で上昇させたり下降させたりすると、座面シート２が上下方向のガイド棒２６によって前後方向の位置を規制されていることから、座面シート２と蝶番４を介して連結した背凭れ面シート３に上下方向で移動させようとする外力が働くので、前記背凭れ面シート３と背凭れフレーム６との上下方向の位置関係を調整することが必要になる。このために、前記支持板部材３０で上下方向の位置関係を調整する。
【００３５】
次に、図１１に示す座面昇降ガイド部材９について説明する。座面昇降ガイド部材９は、図２、図４、図１２に示すようにリフト手段５と座面シート２との間に介設されており、リフト手段５により上昇させられる。座面昇降ガイド部材９は、リフト手段５の上端部が当接する座面当接部１２のベース部１５の左右端近傍から下方に突出した２本のガイド棒１１を設け、座面昇降ガイド部材９の昇降時の揺れを規制し円滑な昇降をさせている。また、座面当接部１２のベース部１５上には座面シート２の底面に当接する当接部１４を設置している。この当接部１４の上下方向の高さはガイド棒１１を固定する締結部１６の高さより高くし、締結部１６が座面シート２の底面に当接しないようにしている。
【００３６】
そして、座面当接部１２のベース部１５から後方に延出された、背凭れ面シート３の背面に当接可能な長さを有する板状又は棒状の背凭れ面補強部材１３を設けている。この背凭れ面補強部材１３によって、座面シート２が上昇して背凭れ面シート３を傾斜させたときに、背凭れ面補強部材１３が背凭れ面シート３の背面に下方から当接して、座面シート２と背凭れ面シート３とを連結させる蝶番４への下方へ加わる外力を低減させることができる。
【００３７】
リフト手段５は、図１２（ａ）、（ｂ）に示すように、手動式のジャッキで構成され、座面昇降ガイド部材９の直下に固定状態で設けられ、リフト手段５によって座面昇降ガイド部材９及び座面シート２を垂直方向に昇降させることができる。本実施形態におけるリフト手段５は、左右の骨格フレーム８０間に架設されたリフト手段土台部６１上に固定している。そして、リフト手段土台部６１にはリフト手段５を挟んで左右に座面昇降ガイド部材９のガイド棒１１を挿入させる垂直方向に貫通孔を設けたガイド部６２が配設されている。これにより、座面昇降ガイド部材９は揺れなく昇降させることができる。
【００３８】
なお、リフト手段５は、図１２（ｂ）に示すように、操作ハンドル６３を備えた手動式のジャッキに限定されるものではなく、例えば、油圧式あるいは電動式のジャッキや、歯車などの機構を利用した手動式あるいは電動式のリフト手段５で構成することができる。
【００３９】
滑動座布団１０は、図１３に示すように、略円盤状に形成され、座面シート２の上面に載置されるものであり、通常の状態では、被介護者が座布団として使用することもできる。滑動座布団１０の裏面は、硬質塩化ビニール低発泡材、ナイロン、ポリエステル織布、ポリプロピレン織布、熱可塑性エラストマー樹脂、ポリオレフィン樹脂、防炎シートなどの摩擦抵抗の少ない滑りやすい材質から造られて円滑面が形成されている。
【００４０】
当該滑動座布団１０は、図１３（ａ）又は（ｂ）に示すように、その本体部分を構成する座布団本体部７１と、それに連結された２本の略リング状で紐状の連結紐部７２を有する。従って、被介護者を座布団本体部７１に乗せた状態で、座面シート２の上面と傾斜状態の背凭れ面シート３の上面を、連結紐部７２を引っ張ることによって容易に滑らせて移動させることができる。
【００４１】
また、本実施形態に係る介護用車椅子１は、介護用車椅子１の車輪やリフト手段などを取り付ける骨格となる骨格フレーム８０が形成されており、この骨格フレーム８０の上部に連設して逆Ｕ字状の支持フレーム８１を設け、当該支持フレーム８１の上端部分（水平部分）を肘掛け部としている。骨格フレーム８０の前側下端部には走行ハンドルを備えた車輪を回転自在に設けている。骨格フレーム８０の背面側にはリヤフレーム８２を設け、当該リヤフレーム８２の下端部に補助輪を回転自在に設けている。また、リヤフレーム８２と背凭れフレーム６との間には、背凭れフレーム６の傾き角度を、調整ハンドル（図示せず）によって調整することのできる傾動手段５１を取付けている。傾動手段５１としては、油圧シリンダー等のシリンダーがある。
【００４２】
図７は座面シート２や支持フレーム８１を除いたときの座面シート２下方の概要平面図を示している。左右の骨格フレーム８０の内側に左右それぞれに座面フレーム７が配設されている。座面フレーム７には左右前後で計４か所にガイド孔２７が設けられている。ガイド孔２７には、座面シート２のガイド棒２６が挿入される。
【００４３】
座面フレーム７は、骨格フレーム８０と固定的に連結させて一体化させることもできる。一方、介護用車椅子１を折りたたみ式の仕様とする場合には、図２、図４に示すように横方向に伸長させることができ縮小させることができるＸ字型の構造７５とすることもできる。Ｘ字型の構造７５の左右の下端を骨格フレーム８０に回動自在に連結し、左右の上部には骨格フレーム８０とは離隔状態として座面フレーム７を固設する。
【００４４】
本実施形態に係る介護用車椅子１は、次のように使用することができる。図１４及び図１５を参照して説明する。最初に、被介護者を介護用車椅子１から移動先（ベッドや自動車シート９０など）に移動させる場合について説明する。
【００４５】
まず、被介護者を乗せた介護用車椅子１を押して自動車近傍まで移動させる。そして、締付具３２を緩めて背凭れ面シート３と背凭れフレーム６との上下方向の位置関係を調整可能状態にする。そして、背凭れフレーム６の螺子３５を緩めて略コ字状フレーム８をスライドさせて伸長させて螺子３５を締める。次に、傾動手段５１によって背凭れフレーム６を傾けて略コ字状フレーム８を自動車シート９０上に載置する。
【００４６】
続いて、リフト手段５を構成するジャッキをその操作ハンドル６３を上下動させて作動し、座面シート２を上方に上昇させて、その座面シート２上面を自動車シート９０上面部より高い位置にする。そして、締付具３２を締めて背凭れ面シート３と背凭れフレーム６との上下方向の位置関係を固定化する。
【００４７】
この状態で、座面シート２は水平状態で自動車シート９０の上面より高い位置にあり、背凭れ面シート３は座面シート２側が高く、自動車シート９０側が低い傾斜状態を実現させている。そして、背凭れ面シート３の蝶番４近傍は背凭れ面補強部材１３によって下方から支えられている。
【００４８】
次に、座面シート２上に載置された滑動座布団１０上に座位状態の被介護者を座面シート２上から背凭れ面シート３へ移動させる。
【００４９】
このとき、滑動座布団１０の裏面には円滑面が形成され、また、背凭れ面シート３は傾斜姿勢に設定されているので、滑動座布団１０を座面シート２から背凭れ面シート３に円滑かつ容易に移動させることができる。
【００５０】
そして、被介護者を、同様に滑動座布団１０の連結紐部７２を引っ張りながら背凭れ面シート３から自動車シート９０上面等の移動先に滑らせて移動させる。このとき、背凭れ面シート３は略コ字状フレーム８を設け、この略コ字状フレーム８の上端部（先端部）を移動先の上に載置しているので、背凭れ面シート３と移動先とは連続しており、両者は隔離されていない。従って、被介護者を、背凭れ面シート３から移動先上に容易かつ円滑に移動させることができる。これにより、被介護者を移動先上に移動させる作業が完了する。
【００５１】
次に、被介護者を、自動車シート９０上等の移動先から本実施形態に係る介護用車椅子１に移動させる場合について図１６及び図１７を参照にして説明する。最初の状態として背凭れ面シート３は垂直状態にあるとする。
【００５２】
まず、リフト手段５の上端を最下限までに下降させて、座面シート２の高さを最下段に設定する。これによって座面シート２の上面の高さは自動車シート９０上面の高さより低くなる。
【００５３】
次に、締付具３２を緩めて背凭れ面シート３と背凭れフレーム６との上下方向の位置関係を調整可能状態にする。そして、背凭れフレーム６の螺子３５を緩めて略コ字状フレーム８をスライドさせて伸長させて螺子３５を締める。
【００５４】
次に、傾動手段５１によって背凭れフレーム６を傾けて略コ字状フレーム８を自動車シート９０上に載置する。そして、締付具３２を締めて背凭れ面シート３と背凭れフレーム６との上下方向の位置関係を固定化する。
【００５５】
次に、自動車シー９０上に乗っている被介護者を自動車シー９０上で滑動座布団１０に座らせ、その連結紐部７２を引っ張って自動車シー９０上から略コ字状フレーム８を含む背凭れ面シート３を滑らせながら移動させ、座面シート２に移す。
【００５６】
被介護者を座面シート２に移動し、座らせた状態とした後、背凭れ面シート３を元の略垂直姿勢に戻すと共に、略コ字状フレーム８を収縮させて元通りに戻す。これにより、被介護者を介護用車椅子１に移動させる作業が完了する。
【符号の説明】
【００５７】
１        介護用車椅子
２        座面シート
３        背凭れ面シート
４        蝶番
５        リフト手段
６        背凭れフレーム
７        座面フレーム
８        略コ字状フレーム
９        座面昇降ガイド部材
１０      滑動座布団
１１      ガイド棒
１２      座面当接部
１３      背凭れ面補強部材
１４      当接部
１５      ベース部
１６      締結部
２１      左右フレーム
２５      表皮
２６      ガイド棒
２７      ガイド孔
３０      支持板部材
３１      溝
３２      締結具
３３      ナット
３５      螺子
３６      手押ハンドル
４１      前板部
４２      回転軸部
４３      後板部
４４      補助板
４５      蝶番本体部
５１      傾動手段
５２      回転中心軸
６１      リフト手段土台部
６２      ガイド部
６３      操作ハンドル
７１      座布団本体部
７２      連結紐部
７３      表皮
７５      Ｘ字型の構造
８０      骨格フレーム
８１      支持フレーム
８２      リヤフレーム
９０      自動車シート
【要約】
【課題】自力で歩行することが困難な人を自動車シートやベッドなどに、より円滑かつ容易に移動させることができる共に、構成が簡易な介護用車椅子を提供する。
【解決手段】座面シートと背凭れ面シートとを備える介護用車椅子であって、座面シートと背凭れ面シートとが蝶番を介して連結され、座面シートは座面シートの下方に配設したリフト手段により上下方向に昇降でき、背凭れフレームを傾動動作させる傾動手段により背凭れフレームを略垂直姿勢から略水平姿勢までの任意の姿勢をさせることができ、背凭れ面シートと背凭れフレームとの左右方向の位置ずれ規制及び上下方向の位置関係調整を可能とし、背凭れフレームは上端側を伸長方向でスライドさせることで背凭れフレームの上下方向の長さを調整可能とし、座面シート及び背凭れ面シートの表皮が摩擦抵抗の少ない滑りやすい材質からなる介護用車椅子により課題解決できた。
【選択図】      図１【図１】
0005771344.tif 000002
【図２】
0005771344.tif 000003
【図３】
0005771344.tif 000004
【図４】
0005771344.tif 000005
【図５】
0005771344.tif 000006
【図６】
0005771344.tif 000007
【図７】
0005771344.tif 000008
【図８】
0005771344.tif 000009
【図９】
0005771344.tif 000010
【図１０】
0005771344.tif 000011
【図１１】
0005771344.tif 000012
【図１２】
0005771344.tif 000013
【図１３】
0005771344.tif 000014
【図１４】
0005771344.tif 000015
【図１５】
0005771344.tif 000016
【図１６】
0005771344.tif 000017
【図１７】
0005771344.tif 000018